(57)【要約】【課題】樹脂成形品の美観を向上させる。【解決手段】金型１は、溶融樹脂ＸＡ１の通路となるスプルー１０、このスプルー１０から溶融樹脂ＸＡ１が流入する板状のランナー１１、及びこのランナー１１の外周全体に繋がり当該ランナー１１から直接溶融樹脂ＸＡ１が流入する成形品形状のキャビティー１２、の各空間を形成し、キャビティー１２に流入した溶融樹脂ＸＡ１が硬化することによって、ランナー１１に対応する開口部５１を有する樹脂成形品５０を成形する対の金型本体３，４と、キャビティー１２におけるランナー１１と繋がる部分に進入して溶融樹脂ＸＡ１を切断する環状の切断駒５と、を備える。切断駒５は、先端の形状が樹脂成形品５０の開口部５１の縁の形状に対応し、溶融樹脂ＸＡ１が硬化する前に当該溶融樹脂ＸＡ１を切断すると同時に開口部５１の縁を象る。【選択図】図２
2015182270.tif 000002
【特許請求の範囲】
【請求項１】
溶融樹脂の通路となるスプルー、前記スプルーから前記溶融樹脂が流入する板状のランナー、及び前記ランナーの外周全体に繋がり該ランナーから直接前記溶融樹脂が流入する成形品形状のキャビティー、の各空間を形成し、前記キャビティーに流入した前記溶融樹脂が硬化することによって、前記ランナーに対応する開口部を有する樹脂成形品を成形する対の金型本体と、
前記キャビティーにおける前記ランナーと繋がる部分に進入して前記溶融樹脂を切断する環状の切断駒と、を備え、
前記切断駒は、先端の形状が前記開口部の縁の形状に対応し、前記溶融樹脂が硬化する前に該溶融樹脂を切断すると同時に前記開口部の縁を象ることを特徴とする、
金型。
【請求項２】
前記開口部の縁の形状は、玉縁であることを特徴とする、
請求項１に記載の金型。
【請求項３】
前記ランナーは、外周に沿った環状の空間がその内側の空間と比較して厚く形成されていることを特徴とする、
請求項１又は２に記載の金型。
【請求項４】
請求項１〜３のいずれかに記載の金型を用いることを特徴とする、
樹脂成形品の製造方法。
【発明の詳細な説明】
【技術分野】
【０００１】
本発明は、金型、及び樹脂成形品の製造方法に関する。
【背景技術】
【０００２】
樹脂成形品を製造する金型は、溶融樹脂の通路となるスプルーと、このスプルーから溶融樹脂が流入するゲートと、このゲートを介して溶融樹脂が流入する成形品形状のキャビティーと、などの空間を形成する。このような金型を用いて樹脂成形品を製造する場合、まず、スプルー及びゲートを経由して、キャビティーに溶融樹脂を流入させる。そして、ゲートに流入している溶融樹脂を、その硬化前又は硬化後にカットして樹脂成形品を製造する。
【０００３】
ゲートの数やキャビティーの形状等によっては、キャビティーに流入させた溶融樹脂が複数の方向に広がった後に合流するので、溶融樹脂が合流した箇所にウェルドラインと呼ばれる痕が発生する。このようなウェルドラインは、樹脂成形品の美観を損ねたり強度を低下させたりするので、無いことが望まれる。そこで、キャビティーの中央から溶融樹脂を放射状に流入させることでウェルドラインを発生させない金型が提案されている（例えば、特許文献１〜３参照）。
【先行技術文献】
【特許文献】
【０００４】
【特許文献１】特許第５１５７６７５号公報
【特許文献２】特開２００９−２２０５４６号公報
【特許文献３】特開平０８−１３２４８１号公報
【発明の概要】
【発明が解決しようとする課題】
【０００５】
しかしながら、特許文献１の金型を用いて樹脂成形品を製造する場合、溶融樹脂が硬化した後にゲートを引きちぎるので、その切断面にバリが残る。そして、特許文献２の金型を用いて樹脂成形品を製造する場合、溶融樹脂が硬化した後にゲートを打ち抜くので、その断面にダレ変形が発生する。また、特許文献３の金型を用いて樹脂成形品を製造する場合、不完全な型締めの状態で流入させた溶融樹脂が硬化する前に、完全な型締めを行ってゲートを切断するので、その断面にバリが残る。このように、特許文献１〜３の金型を用いて製造した樹脂成形品には、ゲートの切断面が粗面となり痕が残る。すなわち、ゲートを切断した痕が樹脂成形品の美観を損ねている。
【０００６】
本発明は、上記課題に鑑みてなされたものであり、樹脂成形品の美観を向上させる金型、及び樹脂成形品の製造方法を提供することを目的とする。
【課題を解決するための手段】
【０００７】
（１）本発明は、溶融樹脂の通路となるスプルー、前記スプルーから前記溶融樹脂が流入する板状のランナー、及び前記ランナーの外周全体に繋がり該ランナーから直接前記溶融樹脂が流入する成形品形状のキャビティー、の各空間を形成し、前記キャビティーに流入した前記溶融樹脂が硬化することによって、前記ランナーに対応する開口部を有する樹脂成形品を成形する対の金型本体と、前記キャビティーにおける前記ランナーと繋がる部分に進入して前記溶融樹脂を切断する環状の切断駒と、を備え、前記切断駒は、先端の形状が前記開口部の縁の形状に対応し、前記溶融樹脂を切断すると同時に前記開口部の縁を象ることを特徴とする、金型である。
【０００８】
本発明によれば、成形品形状のキャビティーが、ランナーの外周全体に繋がり当該ランナーから溶融樹脂が流入するので、当該溶融樹脂が放射状に拡散する。これにより、ウェルドラインの発生を防止できる。そして、切断駒が、溶融樹脂を切断すると同時に樹脂成形品の開口部の縁を象るので、ゲート自体及びその切断面を無くせる。結果、ゲートを切断した痕が残ることはない。これにより、樹脂成形品の美観を向上させられる。
【０００９】
（２）本発明はまた、前記開口部の縁の形状は、玉縁であることを特徴とする、上記（１）に記載の金型である。
【００１０】
上記発明によれば、樹脂成形品の開口部の縁をより美しくできる。
【００１１】
（３）本発明はまた、前記ランナーは、外周に沿った環状の空間がその内側の空間と比較して厚く形成されていることを特徴とする、上記（１）又は（２）に記載の金型である。
【００１２】
上記発明によれば、ランナーは、外周に沿った環状の空間がその内側の空間と比較して厚く形成されているので、溶融樹脂を切断すると同時に樹脂成形品の開口部の縁を象る際に、切断駒の進入によって押し出される溶融樹脂をランナー、及びキャビティーにおける製品の側に逃がせる。これにより、キャビティー内の溶融樹脂が局所的に高圧になることを防止できる。結果、樹脂成形品の美観を損ねずに済む。
【００１３】
（４）本発明はまた、上記（１）〜（３）のいずれかに記載の金型を用いることを特徴とする、樹脂成形品の製造方法である。
【発明の効果】
【００１４】
本発明の上記（１）〜（３）に記載の樹脂成形品の製造方法、及び上記（４）に記載の金型によれば、樹脂成形品の美観を向上させられる。
【図面の簡単な説明】
【００１５】
【図１】（Ａ）は本発明の第１実施形態に係る金型の断面図であり、（Ｂ）は金型の要部を示す断面図である。
【図２】（Ａ）及び（Ｂ）は切断駒の動きを説明する断面図である。
【図３】（Ａ）は樹脂成形品の上面図であり、（Ｂ）は樹脂成形品の断面図である。
【図４】本発明の第２の実施形態に係る金型の要部を示す断面図である。
【発明を実施するための形態】
【００１６】
以下、図面を参照して、本発明の実施形態に係る金型１，２について詳細に説明する。
【００１７】
［第１実施形態］まず、図１及び図２を用いて、第１実施形態に係る金型１の構成について説明する。図１（Ａ）は、金型１の断面図である。図１（Ｂ）は、金型１の要部を示す断面図である。図２（Ａ）及び図２（Ｂ）は、切断駒５の動きを説明する断面図である。なお、本図及び以降の各図において、一部の構成を適宜省略して、図面を簡略化する。そして、本図及び以降の各図において、部材の大きさ、形状、厚みなどを適宜誇張して表現する。
【００１８】
図１（Ａ）、図１（Ｂ）、図２（Ａ）及び図２（Ｂ）に示される金型１は、溶融樹脂ＸＡ１の射出成形により樹脂成形品５０（図３（Ａ）及び図３（Ｂ）参照）を製造する際に、射出成形機（図示省略）と共に用いられる。具体的に、金型１は、上下一対の金型本体３，４と、複数の切断駒５，６と、を備えている。
【００１９】
金型１の各部３〜６には、同じ材料を使用する。そして、金型１の各部３〜６には、所定の強度が求められ、例えば、ブリネル硬さＨＢが３００以上のプリハードン鋼や炭素鋼Ｓ５５Ｃなどが使用される。
【００２０】
上下一対の金型本体３，４は、射出成形機（図示省略）によって、互いに当接させられて例えば数百トン以上の応力が掛けられる。これら上下一対の金型本体３，４は、互いの間に、溶融樹脂ＸＡ１の通路となるスプルー１０と、このスプルー１０から溶融樹脂ＸＡ１が流入する板状のランナー１１と、このランナー１１の外周全体に繋がり当該ランナー１１から直接溶融樹脂ＸＡ１が流入する成形品形状のキャビティー１２と、の各空間を形成する。ランナー１１は、外周に沿った環状の空間１１ａがその内側の空間１１ｂと比較して厚く形成されている。なお、従来の金型とは異なり、上下一対の金型本体３，４は、ゲートを成形せず、ランナー１１とキャビティー１２とを、隣接させるように形成する。
【００２１】
このような上下一対の金型本体３，４は、キャビティー１２に流入した溶融樹脂ＸＡ１が硬化することによって、樹脂成形品５０（図３（Ａ）及び図３（Ｂ）参照）を成形する。
【００２２】
切断駒５は、キャビティー１２におけるランナー１１と繋がる部分に対応し、環状を呈する。この切断駒５は、先端の形状が、成形後の樹脂成形品５０（図３（Ａ）及び図３（Ｂ）参照）における開口部５１（図３（Ａ）及び図３（Ｂ）参照）の縁の形状に対応している。そして、切断駒５は、射出成形機（図示省略）によって駆動され、キャビティー１２におけるランナー１１と繋がる部分に進入して、硬化前の溶融樹脂ＸＡ１を切断すると同時に、成形後の樹脂成形品５０における開口部５１の縁を象る。
【００２３】
複数（本実施形態では３個）の切断駒６は、それぞれ、先端の形状が、成形後の樹脂成形品５０（図３（Ａ）及び図３（Ｂ）参照）における開口部５２（図３（Ａ）及び図３（Ｂ）参照）の縁の形状に対応している。これら複数の切断駒６は、それぞれ、射出成形機（図示省略）によって駆動され、キャビティー１２における該当部分に進入して、硬化前の溶融樹脂ＸＡ１を切断する。
【００２４】
なお、複数の切断駒５，６がスムーズに上下動できるように、金型本体４と各切断駒５，６との間のクリアランスは、大きめの方が望ましいが、そのクリアランスが大きくなればバリの発生や切断駒５，６の変形の要因となる。そこで、当該クリアランスは、バリの発生、切断駒５，６の変形、樹脂成形品５０の表面品質などから最適な値とする必要がある。結果、当該クリアランスは、０．０２ｍｍ以上０．０５ｍｍ以下であることが好ましい。
【００２５】
次に、図１及び図２に基づいて、金型１を用いて樹脂成形品５０を製造する流れを説明する。
【００２６】
図１に示されるように、上下一対の金型本体３，４が、射出成形機（図示省略）によって、互いに当接させられて例えば数百トン以上の応力が掛けられる。これにより、上下一対の金型本体３，４の互いの間に、スプルー１０と、ランナー１１と、キャビティー１２と、の各空間が形成される。
【００２７】
そして、スプルー１０から溶融樹脂ＸＡ１が流し込まれる。スプルー１０に流し込まれた溶融樹脂ＸＡ１は、ランナー１１に流入する。ランナー１１に流入した溶融樹脂ＸＡ１は、さらに、キャビティー１２に流入する。これにより、溶融樹脂ＸＡ１がキャビティー１２内に充填される。
【００２８】
その後、複数の切断駒５，６が、射出成形機（図示省略）によって駆動される。切断駒５は、キャビティー１２におけるランナー１１と繋がる部分に進入して、硬化前の溶融樹脂ＸＡ１を切断すると同時に、成形後の樹脂成形品５０（図３（Ａ）及び図３（Ｂ）参照）における開口部５１の縁を象る。複数の切断駒６は、キャビティー１２における該当部分に進入して、硬化前の溶融樹脂ＸＡ１を切断する。
【００２９】
なお、複数の切断駒５，６は、溶融樹脂ＸＡ１の切断を終了するタイミングが互いに一致するように駆動されることが好ましい。すなわち、複数の切断駒５，６は、切断する溶融樹脂ＸＡ１の厚みが互いに同じ場合、互いに同じタイミングで溶融樹脂ＸＡ１を切断するように駆動されることが好ましい。そして、複数の切断駒５，６は、切断する溶融樹脂ＸＡ１の厚みが互いに異なる場合、切断する溶融樹脂ＸＡ１の厚みが厚いものから順に駆動が開始され、互いに同じタイミングで溶融樹脂ＸＡ１の切断が終了するように駆動されることが好ましい。
【００３０】
そして、溶融樹脂ＸＡ１が硬化することで、樹脂成形品５０が成形される。その後、上下一対の金型本体３，４が、射出成形機（図示省略）によって互いに離隔される。これにより、樹脂成形品５０の取出しが可能となる。
【００３１】
なお、切断駒５で切断された部分（いわゆるディスクゲート（ただし、ディスク状ではなく、矩形状をしている。））、及び切断駒６で切断された各部分（いわゆる捨てゲート）は、別の樹脂成形品５０の原材料としてリサイクルされる。
【００３２】
次に、図３を用いて、樹脂成形品５０の構成について説明する。図３（Ａ）は、樹脂成形品５０の上面図である。図３（Ｂ）は、樹脂成形品５０の断面図である。
【００３３】
図３に示される樹脂成形品５０は、金型１（図１（Ａ）及び図１（Ｂ）参照）を用いた溶融樹脂ＸＡ１（図２（Ａ）及び図２（Ｂ）参照）の射出成形により製造される。この樹脂成形品５０は、自動車の内装部品であるダッシュボードを構成するカバーであるが、本発明に係る樹脂成形品はこれに限定されず、例えば、自動車用フォグランプカバーなどであってもよい。
【００３４】
樹脂成形品５０は、金型１内のランナー１１に対応し切断駒５によって溶融樹脂ＸＡ１が切断される部分に、開口部５１を有する。そして、樹脂成形品５０は、各切断駒６によって溶融樹脂ＸＡ１が切断される部分に、それぞれ、開口部５２を有する。
【００３５】
このように、金型１によれば、成形品形状のキャビティー１２が、ランナー１１の外周全体に繋がり当該ランナー１１から溶融樹脂ＸＡ１が流入するので、当該溶融樹脂ＸＡ１が放射状に拡散する。これにより、ウェルドラインの発生を防止できる。そして、切断駒５が、溶融樹脂ＸＡ１を切断すると同時に樹脂成形品ＸＡ１の開口部５１の縁を象るので、従来の金型によるようなゲート自体及びその切断面を無くせる。結果、ゲートを切断した痕が残ることはない。これにより、樹脂成形品５０の美観を向上させられる。
【００３６】
そして、ランナー１１は、外周に沿った環状の空間１１ａがその内側の空間１１ｂと比較して厚く形成されているので、溶融樹脂ＸＡ１を切断すると同時に樹脂成形品５０の開口部５１の縁を象る際に、切断駒５の進入によって押し出される溶融樹脂ＸＡ１をランナー１１、及びキャビティー１２における製品の側に逃がせる。これにより、キャビティー１２内の溶融樹脂ＸＡ１が局所的に高圧になることを防止できる。結果、樹脂成形品５０の美観を損ねずに済む。
【００３７】
［第２実施形態］次に、図４を用いて、第２実施形態に係る金型２の構成について説明する。図４は、金型２の要部を示す断面図である。なお、ここでは、金型２の特徴部分のみを説明し、上記第１実施形態に係る金型１と同様の構成、作用、効果についての説明は適宜省略する。
【００３８】
図４に示されるように、金型２は、樹脂成形品（図示省略）を製造する際に用いられる。具体的に、金型２は、上下一対の金型本体７，８と、切断駒９と、を備えている。
【００３９】
上下一対の金型本体７，８は、互いの間に、スプルー（図示省略）と、ランナー１３と、キャビティー１４と、の各空間を形成する。ランナー１３は、外周に沿った環状の空間１３ａがその内側の空間１３ｂと比較して厚く形成されている。
【００４０】
切断駒９は、キャビティー１４におけるランナー１３と繋がる部分に対応し、環状を呈する。この切断駒９は、先端形状が、成形後の樹脂成形品（図示省略）における開口部（図示省略）の玉縁の形状に対応している。ここで、玉縁とは、断面視で円弧状を呈している縁のことである。
【００４１】
なお、切断駒９における頭頂９ａの厚みＬはできるだけ薄く刃状に近いことが好ましいが、加工の都合上、また、使用による変形や耐久性の観点から、薄くすることに限界がある。結果、頭頂９ａの厚みＬは、０．１ｍｍ以上０．５ｍｍ以下であることが好ましく、０．２ｍｍ以上０．４ｍｍ以下であることがより好ましく、０．３ｍｍであることが更に好ましい。
【００４２】
このように、金型２によれば、樹脂成形品（図示省略）の開口部（図示省略）の縁をより美しくできる。
【００４３】
本発明は上記各実施形態に限られるものではなく、その趣旨及び技術思想を逸脱しない範囲で種々の変形が可能である。また、各実施形態及び各変形例の構成は、可能な範囲で他の実施形態及び他の変形例に適用できる。
【００４４】
すなわち、上記各実施形態において、各構成の位置、大きさ、長さ、数量、形状、材質、向きなどは適宜変更できる。
【符号の説明】
【００４５】
１，２  金型
３，４，７，８  金型本体
５，９  切断駒
１０  スプルー
１１，１３  ランナー
１１ａ，１３ａ  外周に沿った環状の空間
１１ｂ，１３ｂ  内側の空間
１２，１４  キャビティー
５０  樹脂成形品
５１  開口部
ＸＡ１  溶融樹脂
【図１】
2015182270.tif 000003
【図２】
2015182270.tif 000004
【図３】
2015182270.tif 000005
【図４】
2015182270.tif 000006